(57)【要約】【課題】異音の発生を抑制しつつドレンの排出を可能にする。【解決手段】吸水材からなる吸水部１５と、吸水部１５が、ドレンパン１２に溜まった水に浸かる吸水位置Ａと、ドレンパン１２よりも上方の排水位置Ｂとの少なくとも二位置を取り得るように、当該吸水部１５に駆動力を伝える駆動手段１７と、排水位置Ｂにある吸水部１５から水を絞り出すための絞り部材１９と、絞り部材１９によって吸水部１５から絞り出された水を外部へ導くための排水部材２１と、を備えている。【選択図】図１
2008240618.tif 000002
【特許請求の範囲】
【請求項１】
ドレンパンに溜まった水を排出させるためのドレン排出装置であって、
吸水材からなる吸水部と、
前記吸水部が、ドレンパンに溜まった水に浸かる吸水位置と、ドレンパンよりも上方の排水位置との少なくとも二位置を取り得るように、当該吸水部を駆動する駆動手段と、
前記排水位置にある前記吸水部から水を絞り出すための絞り部材と、
前記絞り部材によって前記吸水部から絞り出された水を外部へ導くための排水部材と、を備えているドレン排出装置。
【請求項２】
前記吸水部は環状に構成されている請求項１に記載のドレン排出装置。
【請求項３】
前記吸水部は、当該吸水部よりも硬度又は密度の高い材質の高剛性部に固定されている請求項１又は２に記載のドレン排出装置。
【請求項４】
前記駆動手段は、前記高剛性部を介して前記吸水部に駆動力を伝える請求項３に記載のドレン排出装置。
【請求項５】
前記高剛性部は、円板状に構成され、
前記吸水部は、前記高剛性部の周囲に円環状に形成されている請求項４に記載のドレン排出装置。
【請求項６】
前記駆動手段は、前記吸水部に直接駆動力を伝える請求項１から３の何れか１項に記載のドレン排出装置。
【請求項７】
前記吸水部は、歯車状に凹凸が形成され、
前記駆動手段は、前記吸水部の凹凸に係合する駆動側係合部を有する請求項６に記載のドレン排出装置。
【請求項８】
前記吸水部は、抗菌剤を含有している請求項１から７の何れか１項に記載のドレン排出装置。
【請求項９】
前記駆動手段は、モータと、このモータに設けられた駆動ローラとを有し、
前記絞り部材は、前記駆動ローラとの間に前記吸水部を挟み込むように配置されたローラ又はガイドによって構成されている請求項１から８の何れか１項に記載のドレン排出装置。
【請求項１０】
前記吸水部の振れ止めが設けられている請求項９に記載のドレン排出装置。
【請求項１１】
前記モータは、一定速度で前記吸水部を駆動する請求項９又は１０に記載のドレン排出装置。
【請求項１２】
前記モータは、速度可変に構成されている請求項９又は１０に記載のドレン排出装置。
【請求項１３】
前記モータは、前記吸水位置よりも前記排水位置の近くに配置されている請求項９又は１０に記載のドレン排出装置。
【請求項１４】
前記モータは、前記排水位置よりも前記吸水位置の近くに配置されている請求項９又は１０に記載のドレン排出装置。
【請求項１５】
前記吸水部を押圧する方向に前記絞り部材を付勢する付勢手段が設けられている請求項１から１４の何れか１項に記載のドレン排出装置。
【請求項１６】
前記排水部材には、前記吸水部から滴下した水の衝突音の発生を抑制する吸音手段が設けられている請求項１から１５の何れか１項に記載のドレン排出装置。
【請求項１７】
前記絞り部材に開口部が形成されるとともに、前記排水部材と前記絞り部材とが１つの中空状部材を形成しており、
前記排水位置にある前記吸水部から絞り出された水が前記開口部を通して前記中空状部材内に滴下するように構成されている請求項１から１６の何れか１項に記載のドレン排出装置。
【請求項１８】
熱交換器と、
前記熱交換器で生じたドレンを受けるドレンパンと、
前記ドレンパンに溜まった水を排出可能に設けられた請求項１から１７の何れか１項に記載のドレン排出装置と、を備えている空気調和装置。
【発明の詳細な説明】
【技術分野】
【０００１】
本発明は、ドレン排出装置及び空気調和装置に関するものである。
【背景技術】
【０００２】
従来、下記特許文献１に開示されているように空気調和装置に設けられたドレンパンに溜まったドレンをポンプで吸い出すようにしたドレン排出装置が知られている。この特許文献に開示されたドレン排出装置は、下面に開口する吸込み口及び側面に開口する排出口を有するポンプケーシングと、このポンプケーシング内に収容され、モータによって駆動されるインペラとを備えている。そして、インペラが駆動されることにより、ドレンパンに溜まったドレンを吸込み口から吸引し、排出口から排出させるようになっている。また、この特許文献１には、ドレン水位が低い場合にインペラ回転数が高くなることに起因する排水音の増大を防止すべく、インペラの回転軸に軸流ファンを設けることが記載されている。
【特許文献１】特開２００２−５０８２号公報
【発明の開示】
【発明が解決しようとする課題】
【０００３】
従来のように、ドレンパンに溜まったドレンを負圧によりポンプケーシングの吸込み口から吸引する構成では、ドレンの水位がある程度高くないと、吸引時に空気を巻き込むことによって異音が発生してしまうという問題がある。前記特許文献１の軸流ファンは、インペラ回転数が高くなるのに伴い、モータ駆動軸とポンプケーシングとの間の隙間を通して流入する空気量が増大することに起因して生ずる排水音を低減するために設けられているが、このものはドレン水位が吸込み口よりも高い場合を前提としているため、ドレン水位が吸込み口程度にまで低下した場合には、やはり空気巻き込みに伴う異音が発生してしまうという問題がある。
【０００４】
そこで、本発明は、かかる点に鑑みてなされたものであり、その目的とするところは、ドレンを吸引する際の異音の発生を抑制しつつドレンの排出を可能にすることにある。
【課題を解決するための手段】
【０００５】
前記の目的を達成するため、本発明は、ドレンパンに溜まった水を排出させるためのドレン排出装置であって、吸水材からなる吸水部と、前記吸水部が、ドレンパンに溜まった水に浸かる吸水位置と、ドレンパンよりも上方の排水位置との少なくとも二位置を取り得るように、当該吸水部を駆動する駆動手段と、前記排水位置にある前記吸水部から水を絞り出すための絞り部材と、前記絞り部材によって前記吸水部から絞り出された水を外部へ導くための排水部材と、を備えているドレン排出装置である。
【０００６】
本発明では、吸水位置にある吸水部によってドレンパンのドレンが吸水されて、この吸水部に吸水されたドレンは、駆動手段による吸水部の駆動に伴って排水位置に移動する。排水位置では、絞り部材によって吸水部からドレンが絞り出され、このドレンは排水部材によって外部へ排出される。すなわち、吸水部が吸水材によって構成されているため、ドレンパンから吸水されるのに際して異音が生ずることがなく、また吸水部からドレン水が絞り出されるときにも異音が生じない。したがって、本発明のドレン排出装置では、異音の発生を抑制しつつドレンの排出が可能である。しかも、吸水部を駆動することによって吸水されたドレンを持ち上げる構成なので、ドレンの汲み上げ高さが制限されることはない。さらに、本発明では、ドレンパンよりも高い位置である排水位置から滴下したドレンを排水部材で受けるように構成できるため、排水部材の始端を高い位置に設けることができ、これにより排水部材を勾配を付けて配設することが可能となる。したがって、排水部材によってドレンを流せる長さを長くすることも可能である。
【０００７】
前記ドレン排出装置において、前記吸水部は環状に構成されているのが好ましい。この態様では、吸水部が回転するように駆動することにより、ドレンの吸水及び排水を連続的に行うことができる。
【０００８】
また前記ドレン排出装置において、前記吸水部は、当該吸水部よりも硬度又は密度の高い材質の高剛性部に固定されていてもよい。この態様では、吸水部の駆動に伴う吸水部の変形を抑制することができる。
【０００９】
この態様において、前記駆動手段は、前記高剛性部を介して前記吸水部に駆動力を伝えてもよい。この態様では、吸水部に間接的に駆動力を付与するので、駆動手段から吸水部に直接駆動力が伝わらない。このため、吸水部の磨耗を防止することができ、この結果、吸水材からなる吸水部の寿命を延ばすことができる。
【００１０】
さらにこの態様において、前記高剛性部は、円板状に構成され、前記吸水部は、前記高剛性部の周囲に円環状に形成されていてもよい。この態様では、吸水部の安定した駆動を得ることができる。
【００１１】
前記ドレン排出装置において、前記駆動手段は、前記吸水部に直接駆動力を伝えてもよい。この態様では、安価な構成にすることができる。
【００１２】
前記ドレン排出装置において、前記吸水部は、歯車状に凹凸が形成され、前記駆動手段は、前記吸水部の凹凸に係合する駆動側係合部を有するものであってもよい。この態様では、駆動手段の駆動力によって吸水部を確実に駆動することができる。
【００１３】
前記ドレン排出装置において、前記吸水部は、抗菌剤を含有しているのが好ましい。この態様では、カビ、スライム等の発生を抑制することができる。
【００１４】
前記ドレン排出装置において、前記駆動手段は、モータと、このモータに設けられた駆動ローラとを有し、前記絞り部材は、前記駆動ローラとの間に前記吸水部を挟み込むように配置されたローラ又はガイドによって構成されていてもよい。この態様では、駆動ローラと絞り部材とを協働させて吸水部に含まれる水分を絞ることができるので、絞り部材として必要な部材を減らすことができる。
【００１５】
この態様において、前記吸水部の振れ止めが設けられているのが好ましい。この態様では、吸水部が駆動される際の吸水部の揺れを防止することができる。
【００１６】
前記モータは、一定速度で前記吸水部を駆動してもよい。この態様では、安価な構成にすることができる。また、定常的なモータ音が発生するが、この定常的な音は耳障りな音になり難いため、ユーザに異音と認識される音の発生を抑制することができる。なお、この種のモータとしてステッピングモータ、シンクロナスモータ等を使用できる。
【００１７】
また前記モータは、速度可変に構成されていてもよい。この態様では、排水量を調整することが可能となり、例えばドレンパンの貯水量等に基づく排水量制御等が可能となる。
【００１８】
また前記モータは、前記吸水位置よりも前記排水位置の近くに配置されていてもよい。この態様では、モータを高い位置に配置できるので、デッドスペースの利用等が可能になる。
【００１９】
また前記モータは、前記排水位置よりも前記吸水位置の近くに配置されていてもよい。この態様では、吸水位置近くに配置される電装品箱の近くにモータを配設することができるので、配線を短くできるとともに配線作業を容易化できる。
【００２０】
前記ドレン排出装置において、前記吸水部を押圧する方向に前記絞り部材を付勢する付勢手段が設けられていてもよい。この態様では、吸水部の磨耗等によって吸水部の厚み等が変化した場合にも、駆動手段から吸水部への駆動力の付与を確実に行うことができるようになる。
【００２１】
前記ドレン排出装置において、前記排水部材には、前記吸水部から滴下した水の衝突音の発生を抑制する吸音手段が設けられていてもよい。この態様では、排水部材での異音の発生を抑制することができる。
【００２２】
前記ドレン排出装置において、前記絞り部材に開口部が形成されるとともに、前記排水部材と前記絞り部材とが１つの中空状部材を形成しており、前記排水位置にある前記吸水部から絞り出された水が前記開口部を通して前記中空状部材内に滴下するように構成されていてもよい。この態様では、吸水部から絞り出された水が中空状部材内に滴下する構成なので、排水部材への水の衝突音が外に漏れ難くなる。このため、異音の音漏れを抑制することができる。
【００２３】
本発明は、熱交換器と、前記熱交換器で生じたドレンを受けるドレンパンと、前記ドレンパンに溜まった水を排出可能に設けられた前記ドレン排出装置と、を備えている空気調和装置である。本発明では、ドレンパンに溜まったドレンを吸い出す際の異音の発生及び吸水部から水を絞り出す際の異音の発生を抑制することができる。しかも、排水部材によってドレンを流せる長さを長くすることもできる。
【発明の効果】
【００２４】
以上説明したように、本発明によれば、異音の発生を抑制しつつドレンの排出を可能にすることができる。
【発明を実施するための最良の形態】
【００２５】
以下、本発明を実施するための最良の形態について図面を参照しながら詳細に説明する。
【００２６】
図１は、本発明に係るドレン排出装置の一実施形態を示しており、本実施形態に係るドレン排出装置１０は、例えば、空気調和装置の室内機内や室外機内等に設置可能に構成されるものである。なお、以下の説明では、ドレン排出装置１０が例えば室内機に設置されているものとする。
【００２７】
このドレン排出装置１０が適用できる室内機は、壁掛けタイプ、天井埋め込みタイプ等、種々のタイプの室内機である。室内機には、ケーシング（図示省略）、このケーシング内に配設された熱交換器（図示省略）、ケーシング内における熱交換器の下方に配設されたドレンパン１２等が主要な構成部品として設けられている。熱交換器は、室内空気と冷媒とを熱交換させる。ドレンパン１２は、熱交換器で凝縮したドレンを受ける。
【００２８】
ドレン排出装置１０は、吸水部１５と、駆動手段１７と、絞り部材１９と、排水部材２１とを備えている。吸水部１５は、例えばスポンジゴム等の吸水材からなり、容易に変形可能なものである。吸水部１５には抗菌剤が練り込まれている。本実施形態では、吸水部１５は円環状に形成されている。
【００２９】
駆動手段１７は、モータ２５と、このモータ２５の駆動軸２５ａに設けられた円筒状の駆動ローラ２７とを備えている。モータ２５は、ケーシング内に設置されたフレーム２９に固定されており、駆動軸２５ａが略水平になるように配設されている。
【００３０】
絞り部材１９は、円筒状のローラによって構成されており、この絞り部材１９は前記フレーム２９に固定された軸部材３１に回転自在に支持されている。軸部材３１は、モータ２５の駆動軸２５ａに平行に配設されており、絞り部材１９は駆動ローラ２７の真下に配置されている。
【００３１】
吸水部１５は、上端部が駆動ローラ２７及び絞り部材１９間に挟み込まれており、軸が略水平になるような縦向きの姿勢で配設されている。吸水部１５の外周面に駆動ローラ２７が接触する一方、吸水部１５の内周面に絞り部材１９が接触している。そして、駆動ローラ２７と絞り部材１９との間隔は吸水部１５の厚みよりも小さくなっており、吸水部１５は、駆動ローラ２７と絞り部材１９とによって挟まれた部位が押し潰されている。
【００３２】
一方、吸水部１５の下端部はドレンパン１２に溜まったドレンに浸かるように配設されている。言い換えると、吸水部１５は、その下端部において吸水位置Ａとなる。そして、吸水部１５の上端部は、吸水されたドレンが絞り出される排水位置Ｂとなっている。なお、排水位置Ｂは、吸水部１５の上端部に位置する構成に限られるものではなく、ドレンパン１２よりも上方に位置していればよい。
【００３３】
吸水部１５は、駆動ローラ２７の回転に応じて回転する。すなわち、吸水部１５は、絞り部材１９に掛けられた状態にあり、この状態で駆動ローラ２７との間に挟み込まれているため、駆動ローラ２７が回転するのに伴い、吸水部１５も略水平に延びる軸回りに回転する。これにより、吸水部１５は、その各部位が吸水位置Ａと排水位置Ｂとを交互に繰り返すように駆動される。本実施形態では、駆動手段１７の駆動力を受けて動く可動体が、吸水部１５単体で構成されている。
【００３４】
排水部材２１は、細長く延びる樋状の部材であり、排水部材２１は、排水位置Ｂの真下に位置する一端部（始端）から斜め下方に向かって延びるように勾配を有する状態でケーシング内に配設されている。排水部材２１の他端部は、例えばケーシングに固定された管部材（図示省略）に接続されており、排水部材２１を流れる水がこの管部材を通してケーシング外に排出されるようになっている。なお、排水部材２１は、排水位置Ｂの真下に位置する一端部のみで上部が開放される一方、その他の部位では管状に形成される構成であってもよい。また、排水部材２１は、固定的に配設されていてもよく、あるいは傾斜を変えられるように配設されていてもよい。
【００３５】
排水位置Ｂ側となる排水部材２１の一端部は、ドレンパン１２よりも十分に高い位置に設定されている。このため、ドレンパン１２の下側にドレン排出用のホースを接続する構成に比べると、本実施形態におけるドレン排出装置１０では、天井裏のスペース内等に管部材を配索する際に管部材が非常に長くなる場合であっても、管部材に所定の勾配を確保し易くすることができる。
【００３６】
排水部材２１には、吸音手段の一例としての吸音部材３５が設けられている。この吸音部材３５は、排水位置Ｂの真下に位置するように配設されている。これにより、排水位置Ｂで吸水部１５から絞り出された水が滴下して排水部材２１に衝突する際に、その衝突音を低減することができる。
【００３７】
モータ２５は、例えば一定の速度で吸水部１５を駆動する。すなわち、モータ２５に給電されると、モータ２５は駆動軸２５ａを一定の速度で回転させ、これにより吸水部１５が一定の速度で回転するようになっている。このモータ２５として、例えばステッピングモータ、シンクロナスモータ等を使用できる。
【００３８】
モータ２５は、吸水位置Ａよりも排水位置Ｂの近くに配置されている。すなわち、モータ２５はドレンパン１２よりも上方に配置されている。そして、モータ２５を例えば熱交換器よりも上方に配置することも可能である。このように配置すれば、ケーシング内のデッドスペースの有効利用となり得る。
【００３９】
ここで、ドレン排出装置１０の動作について説明する。ドレン排出装置１０では、モータ２５に給電されると、駆動軸２５ａが駆動し、これにより吸水部１５が回転する。すなわち、駆動手段１７は、吸水部１５に直接駆動力を伝えている。なお、モータ２５は、例えば室内機が運転されている間、給電されている。
【００４０】
吸水部１５は、下端部がドレンパン１２に溜まったドレンに浸かっている場合には、この下端部においてドレンを吸水している。すなわち、吸水部１５が吸水材によって構成されているため、ドレンの水位によらずドレンを吸収できるようになっている。しかもこの吸収時に異音は発生しない。そして、この吸水位置Ａでドレンを吸収した部位は、駆動軸２５ａ即ち駆動ローラ２７の回転に応じて上方へ移動し、上端部に達したところで、駆動ローラ２７及び絞り部材１９によって押し潰される。これにより、吸水部１５に含まれる水分が絞り出されて排水部材２１に滴下する。排水位置Ｂの下方には吸音部材３５が存在しているので、排水部材２１に水滴が落下したときの衝突音が低減されている。滴下したドレンは排水部材２１を流れた後、管部材を流れて屋外に排出される。一方、排水位置Ｂで水分が絞り出された部位は、今度は下方に移動し、再びドレンパン１２内のドレンに浸かる位置（吸水位置Ａ）に戻り、ドレンを吸収する。これが繰り返されて、ドレンパン１２内のドレンが屋外に排出される。
【００４１】
以上説明したように、本実施形態では、吸水位置Ａにある吸水部１５によってドレンパン１２のドレンが吸水され、この吸水部１５に吸水されたドレンは、駆動手段１７によって排水位置Ｂに移動する。そして、排水位置Ｂでは、絞り部材１９によってドレンが絞り出され、このドレンは排水部材２１によって外部へ排出される。このため、吸水部１５がドレンパン１２のドレンを吸収するのに際して異音が生ずることがなく、また吸水部１５からドレン水が絞り出されるときにも異音が生じない。したがって、本ドレン排出装置１０では、異音の発生を抑制しつつドレンの排出が可能である。しかも、吸水部１５を駆動することによって吸水されたドレンを持ち上げる構成なので、ドレンの汲み上げ高さが制限されることはなく、また排水量が制限されるものでもない。さらに、排水部材２１の始端がドレンパン１２よりも高い位置に配置されるため、排水部材２１を勾配を付けて配設することが可能となる。したがって、排水部材２１によってドレンを流せる長さを長くすることができる。また、このドレン排出装置は、場所を選ばずに設置することが可能である。
【００４２】
また、本実施形態では、吸水部１５が環状に形成されているため、吸水部１５を回転させることにより、ドレンの吸水及び排水を連続的に行うことができる。
【００４３】
また、本実施形態では、可動体が吸水部１５のみで構成され、吸水部１５に直接モータ２５の駆動力を伝える構成なので、安価な構成となっている。
【００４４】
また、本実施形態では、吸水部１５に抗菌剤が含有されているので、カビ、スライム等の発生を抑制することができる。
【００４５】
また、本実施形態では、駆動ローラ２７と絞り部材１９とを協働させて吸水部１５に含まれる水分を絞ることができるので、絞り部材１９を一対のローラで構成し、これらのローラで吸水部１５を挟み込んで押圧する構成に比べ、絞り部材１９として必要な部材を減らすことができる。
【００４６】
また、本実施形態では、一定速度で吸水部１５を駆動させる構成としたので、安価な構成にすることができる。また、この態様では定常的なモータ音が発生するが、定常的な音は耳障りな音になり難いため、ユーザに異音と認識される音の発生を抑制することができる。
【００４７】
なお、本発明は前記実施形態に限られるものではなく、その趣旨を逸脱しない範囲で種々変更、改良等が可能である。（１）例えば、図２に示すように、吸水部１５を内周側の部位１５ａと外周側の部位１５ｂに分割し、その間に吸水部１５よりも剛性の高い高剛性部４０を挟み込むようにしてもよい。この場合には、吸水部１５の内周部１５ａと、吸水部１５の外周部１５ｂと、これらに挟み込まれた高剛性部４０とにより、モータ２５から駆動力を受ける可動体４２が構成される。
【００４８】
高剛性部４０は環状に構成されており、環状の可動体４２の全体に亘る。したがって、可動体４２全体の形状を維持し易くすることができる。高剛性部４０は、例えば吸水部１５を構成する吸水材よりも硬度の高い材質、あるいは密度の高い材質からなる。この変形態様では、前記実施形態同様に、吸水部１５が駆動ローラ２７から直接駆動力を受けるが、高剛性部４０の存在により駆動時における吸水部１５の全体的な変形を抑制することができ、可動体４２をより安定的に駆動することができる。
【００４９】
（２）図３に示すように、吸水部１５の内周面に高剛性部４０が設けられる構成としてもよい。すなわち、この変形態様では、環状の吸水部１５と、吸水部１５の内周側に固着された環状の高剛性部４０とにより、モータ２５から駆動力を受ける可動体４２が構成されている。そして、吸水部１５は高剛性部４０を介して絞り部材１９に押し付けられる。高剛性部４０は、例えば吸水部１５を構成する吸水材よりも硬度の高い材質、あるいは密度の高い材質からなる。この変形態様では、吸水部１５が絞り部材１９によって磨耗するのを防止することができる。
【００５０】
（３）図４に示すように、吸水部１５の外周面に高剛性部４０が設けられる構成としてもよい。この変形態様では、環状の吸水部１５と、吸水部１５の外周側に固着された環状の高剛性部４０とにより、モータ２５から駆動力を受ける可動体４２が構成されている。この変形態様では、駆動ローラ２７と吸水部１５とが直接接していないので、吸水部１５の磨耗を防止することができ、この結果、吸水材からなる吸水部１５の寿命を延長することができる。また、図５に示すように、吸水部１５の外周面及び内周面の双方に高剛性部４０が設けられている構成としてもよい。
【００５１】
（４）図６に示すように、高剛性部４０は円板状に構成されていてもよい。この高剛性部４０は、その中心にモータ２５の駆動軸２５ａが結合されており、駆動軸２５ａと一体的に回転する。そして、高剛性部４０の外周部に円環状の吸水部１５が設けられている。この変形態様では、吸水部１５の安定した駆動を得ることができる。
【００５２】
（５）図７に示すように、吸水部１５の外周部に凹凸が形成され、吸水部１５が歯車状に形成される構成であってもよい。この場合、駆動ローラ２７は外歯歯車状に形成され、吸水部１５の凹凸と駆動ローラ２７とが噛み合うことでモータ２５の駆動力が吸水部１５に伝えられる。言い換えると、駆動手段１７には、吸水部１５の凹凸に係合する駆動側係合部が設けられている。この変形態様では、駆動手段１７の駆動力によって吸水部１５を確実に駆動することができる。
【００５３】
（６）図８に示すように、吸水部１５の振れ止め４４が設けられていてもよい。この振れ止め４４はローラからなり、例えば、フレーム２９に固定された軸部材３１に回動可能に支持されている。振れ止め４４は、例えば駆動ローラ２７とともに吸水部１５の外周面を押圧し、駆動ローラ２７と振れ止め４４との間の外周面に対向する内周面を絞り部材１９が押圧している。このように駆動ローラ２７、振れ止め４４及び絞り部材１９の３つの部材によって吸水部１５が支持されることにより、吸水部１５が揺動しないようになっている。この態様では、吸水部１５が駆動されるのに伴って吸水部１５が揺れるのを防止することができる。なお、振れ止め４４は、吸水部１５の内周面を押圧するように配設されていてもよく、また回動可能に構成されていなくてもよい。
【００５４】
（７）図９に示すように、吸水部１５の下端部にローラ４６が設けられる構成であってもよい。この下側ローラ４６は、吸水部１５の下端部における内周面に接触している。下側ローラ４６は吸水部１５の振れ止め４４としても機能する。下側ローラ４６と絞り部材１９とにより、吸水部１５は上下に引き伸ばされた状態に維持されていてもよい。この場合には、水平方向の投影面積が大きくならないようにしつつ、垂直方向の長さ（高さ）を大きくすることができる。したがって、吸水部１５の横方向の大きさが大きくならないようにしつつ、排水部材２１の勾配及び図外の管部材の勾配をきつくすることが可能となる。
【００５５】
（８）図１０に示すように、絞り部材１９を付勢する付勢手段としてのバネ部材４８が設けられていてもよい。このバネ部材４８は、ケーシング内に配設されている図略のフレームと絞り部材１９との間に介装され、吸水部１５を押圧する方向に絞り部材１９を付勢している。絞り部材１９は、前記実施形態で示したローラからなる絞り部材１９と異なり、回転しないように構成されたガイドとして形成されている。この態様では、吸水部１５の磨耗等によって吸水部１５の厚み等が変化した場合に、絞り部材１９がそれに追随するため、駆動手段１７から吸水部１５への駆動力の付与を確実に行うことができる。
【００５６】
（９）図１１に示すように、絞り部材１９と排水部材２１が１つの中空状部材５０を形成する構成であってもよい。具体的に、絞り部材１９は吸水部１５の内周面に接触するように配設されるとともに開口部５２が形成されている。排水部材２１は、全体として筒状に形成されるが、一端部において上面が開放されている。そして、この開放された部位が絞り部材１９によって塞がれ、両部材によって中空状部材５０に形成されている。この態様では、吸水部１５から絞り出された水が開口部５２を通して中空状部材５０内に滴下する。したがって、排水部材２１への水の衝突音が外に漏れ難くなり、異音の音漏れを抑制することができる。
【００５７】
（１０）前記実施形態では、モータ２５が一定速度で駆動する構成としたが、これに代え、モータ２５は速度可変に構成されていてもよい。この態様では、排水量を調整することが可能となり、例えばドレンパン１２の貯水量等に基づく排水量制御等が可能となる。
【００５８】
（１１）前記実施形態では、モータ２５が排水位置Ｂの近くに配置されている構成としたが、これに代え、モータ２５は、排水位置Ｂよりも吸水位置Ａの近く配置されていてもよい。この変形態様では、吸水位置Ａ近くに配置される電装品箱の近くにモータ２５を配設することができるので、配線を短くできるとともに配線作業を容易化できる。
【図面の簡単な説明】
【００５９】
【図１】本発明の実施形態にかかる空気調和装置に設けられたドレン排出装置を概略的に示す図である。
【図２】その他の実施形態にかかるドレン排出装置を説明するための概略図である。
【図３】その他の実施形態にかかるドレン排出装置を説明するための概略図である。
【図４】その他の実施形態にかかるドレン排出装置を説明するための概略図である。
【図５】その他の実施形態にかかるドレン排出装置を説明するための概略図である。
【図６】その他の実施形態にかかるドレン排出装置を説明するための概略図である。
【図７】その他の実施形態にかかるドレン排出装置を説明するための概略図である。
【図８】その他の実施形態にかかるドレン排出装置を説明するための概略図である。
【図９】その他の実施形態にかかるドレン排出装置を説明するための概略図である。
【図１０】その他の実施形態にかかるドレン排出装置を説明するための概略図である。
【図１１】その他の実施形態にかかるドレン排出装置を説明するための概略図である。
【符号の説明】
【００６０】
１２    ドレンパン
１５    吸水部
１７    駆動手段
１９    絞り部材
２１    排水部材
２５    モータ
２７    駆動ローラ
３５    吸音部材（吸音手段の一例）
４０    高剛性部
４４    振れ止め
４６    下側ローラ
４８    バネ部材（付勢手段の一例）
５０    中空状部材
５２    開口部
【図１】
2008240618.tif 000003
【図２】
2008240618.tif 000004
【図３】
2008240618.tif 000005
【図４】
2008240618.tif 000006
【図５】
2008240618.tif 000007
【図６】
2008240618.tif 000008
【図７】
2008240618.tif 000009
【図８】
2008240618.tif 000010
【図９】
2008240618.tif 000011
【図１０】
2008240618.tif 000012
【図１１】
2008240618.tif 000013